(57)【要約】【課題】複数の通信デバイスの各々との間でＨＦＰを同時に接続中に発信のトリガが発生した場合に、その発信に係る発信動作を適切な通信デバイスに行わせる。【解決手段】ハンズフリー装置１は、ユーザが電話の発信操作を行うと、ＨＦＰを同時に接続中の複数の通信デバイス１８毎に記憶されている電話帳データ等を検索し、発信先電話番号と一致する電話番号の検索に成功した通信デバイス１８を選択し、発信に係る発信動作を、その発信先電話番号と一致する電話番号の検索に成功した通信デバイス１８に行わせる。発信先の通信デバイスでは発信元の通信デバイス１８から通知された電話番号と対応付けて登録されている登録名が出力されることで、発信先の通信デバイスを使用するユーザは発信元の身元を把握可能となる。【選択図】図１
2014204267.tif 000002
【特許請求の範囲】
【請求項１】
複数の通信デバイス（１８）の各々との間で近距離無線通信回線を接続して所定のプロトコルを同時に接続可能な接続手段（３）と、
識別情報を前記通信デバイスと対応付けて記憶可能な記憶手段（５）と、
発信のトリガが発生した場合に、前記接続手段が前記所定のプロトコルを同時に接続中の複数の通信デバイスの各々に対応付けられて前記記憶手段に記憶されている複数の識別情報を検索し、その発信に係る発信先情報と一致する識別情報の検索に成功した通信デバイスが存在する場合に、その発信に係る発信動作を、その発信先情報と一致する識別情報の検索に成功した通信デバイスに行わせる制御手段（２）と、を備えたことを特徴とする近距離無線通信装置。
【請求項２】
請求項１に記載した近距離無線通信装置において、
前記制御手段は、その発信に係る発信先情報と一致する識別情報の検索に成功した通信デバイスが複数存在する場合には、その複数の通信デバイスのうち前記接続手段との間で近距離無線通信回線を接続した最後が最新の通信デバイスを特定し、その発信に係る発信動作を、その特定した通信デバイスに行わせることを特徴とする近距離無線通信装置。
【請求項３】
請求項１又は２に記載した近距離無線通信装置において、
複数の通信デバイスの各々は、前記識別情報を記憶可能であると共に、外部から発信先情報を受信すると、その記憶している識別情報を検索し、外部から受信した発信先情報と一致する識別情報の検索に成功したか否かを示す検索結果を外部に送信するように構成され、
発信先情報を外部に送信する送信手段（３）と、
外部から検索結果を受信する受信手段（３）と、を備え
前記制御手段は、その発信に係る発信先情報と一致する識別情報の検索に成功した通信デバイスが存在しない場合には、前記発信先情報を前記接続手段が前記所定のプロトコルを同時に接続中の複数の通信デバイスの各々に前記送信手段から送信させて当該発信先情報と一致する識別情報の検索を行わせ、外部から前記受信手段により受信した検索結果に基づいて発信先情報と一致する識別情報の検索に成功した何れかの通信デバイスが存在するか否かを判定し、その発信先情報と一致する識別情報の検索に成功した通信デバイスが存在する場合に、その発信に係る発信動作を、その発信先情報と一致する識別情報の検索に成功した通信デバイスに行わせることを特徴とする近距離無線通信装置。
【請求項４】
請求項３に記載した近距離無線通信装置において、
前記制御手段は、その発信先情報と一致する識別情報の検索に成功した通信デバイスが複数存在する場合には、その複数の通信デバイスのうち前記接続手段との間で近距離無線通信回線を接続した最後が最新の通信デバイスを特定し、その発信に係る発信動作を、その特定した通信デバイスに行わせることを特徴とする近距離無線通信装置。
【請求項５】
請求項１から４の何れか一項に記載した近距離無線通信装置において、
前記接続手段は、前記所定のプロトコルとしてハンズフリー通話を規定する第１のプロトコルを同時に接続可能であり、
前記記憶手段は、前記識別情報として電話番号を前記通信デバイスと対応付けて記憶可能であり、
前記制御手段は、電話発信のトリガが発生した場合に、前記接続手段が前記第１のプロトコルを接続中の通信デバイスに対応付けられて前記記憶手段に記憶されている電話番号を検索し、その発信に係る発信先電話番号と一致する電話番号の検索に成功した通信デバイスが存在する場合に、その発信に係る電話の発信動作を、その発信先電話番号と一致する電話番号の検索に成功した通信デバイスに行わせることを特徴とする近距離無線通信装置。
【請求項６】
請求項５に記載した近距離無線通信装置において、
前記記憶手段は、電話帳データに登録された電話番号である登録電話番号、過去に電話発信した電話番号である発信電話番号、過去に着信した電話番号である着信電話番号、過去に電話不在着信した電話番号である不在着信電話番号のうち少なくとも何れかを前記通信デバイスと対応付けて記憶可能であり、
前記制御手段は、前記記憶手段に記憶されている電話番号として、前記登録電話番号、前記発信電話番号、前記着信電話番号、前記不在着信電話番号のうち少なくとも何れかを検索することを特徴とする近距離無線通信装置。
【請求項７】
請求項６に記載した近距離無線通信装置において、
前記制御手段は、前記登録電話番号、前記発信電話番号、前記着信電話番号、前記不在着信電話番号の順序を優先順序として検索することを特徴とする近距離無線通信装置。
【請求項８】
請求項１から４の何れか一項に記載した近距離無線通信装置において、
前記接続手段は、前記所定のプロトコルとして電子メールの転送を規定する第２のプロトコルを同時に接続可能であり、
前記記憶手段は、前記識別情報として電子メールアドレスを前記通信デバイスと対応付けて記憶可能であり、
前記制御手段は、電子メール送信のトリガが発生した場合に、前記接続手段が前記第２のプロトコルを接続中の通信デバイスに対応付けられて前記記憶手段に記憶されている電子メールアドレスを検索し、その送信に係る送信先電子メールアドレスと一致する電子メールアドレスの検索に成功した通信デバイスが存在する場合に、その送信に係る電子メールの送信動作を、その送信先電子メールアドレスと一致する電子メールアドレスの検索に成功した通信デバイスに行わせることを特徴とする近距離無線通信装置。
【請求項９】
請求項８に記載した近距離無線通信装置において、
前記記憶手段は、電話帳データに登録された電子メールアドレスである登録電子メールアドレス、過去に送信した電子メールアドレスである送信電子メールアドレス、過去に受信した電子メールアドレスである受信電子メールアドレスのうち少なくとも何れかを前記通信デバイスと対応付けて記憶可能であり、
前記制御手段は、前記記憶手段に記憶されている電子メールアドレスとして、前記登録電子メールアドレス、前記送信電子メールアドレス、前記受信電子メールアドレスのうち少なくとも何れかを検索することを特徴とする近距離無線通信装置。
【請求項１０】
請求項９に記載した近距離無線通信装置において、
前記制御手段は、前記登録電子メールアドレス、前記送信電子メールアドレス、前記受信電子メールアドレスの順序を優先順序として検索することを特徴とする近距離無線通信装置。
【発明の詳細な説明】
【技術分野】
【０００１】
本発明は、複数の通信デバイスの各々との間で所定のプロトコルを同時に接続可能な近距離無線通信装置に関する。
【背景技術】
【０００２】
従来より、近距離無線通信装置において、通信デバイスとの間で所定のプロトコルを接続し、通信デバイスと連携して所定のプロトコルによるアプリケーションを提供する構成が供されている。例えば特許文献１には、車両用のハンズフリー装置において、携帯電話機との間でＢｌｕｅｔｏｏｔｈ（登録商標）回線を接続してＨＦＰ（Hands Free Profile）を接続し、ＨＦＰを接続中の携帯電話機を利用するハンズフリー通話を可能とする構成が開示されている。
【先行技術文献】
【特許文献】
【０００３】
【特許文献１】特開２０１２−１００１５６号公報
【発明の概要】
【発明が解決しようとする課題】
【０００４】
ところで、近年、１台の近距離無線通信装置が複数の通信デバイスとの間で所定のプロトコルを同時に接続可能とする構成が考えられている。例えば１台のハンズフリー装置が複数の携帯電話機との間でＨＦＰを同時に接続可能とする構成である。しかしながら、１台のハンズフリー装置が複数の携帯電話機との間でＨＦＰを同時に接続中に、例えばユーザが電話の発信操作をハンズフリー装置にて行うと、ＨＦＰを同時に接続中の複数の携帯電話機のうち何れに電話の発信動作を行わせるかが問題となる。
【０００５】
例えばユーザが複数の携帯電話機を仕事用とプライベート用とで使い分けている場合に、仕事に関係する相手を発信先とする電話の発信操作を行ったにも拘らず、プライベート用の携帯電話機が電話の発信動作を行ってしまうと、プライベート用の携帯電話機の電話番号が発信先の電話機に通知される。この場合、仕事に関係する相手の発信先の電話機では、自機の電話帳データに電話番号と登録名とが対応付けて登録されていない携帯電話機からの着信となる可能性がある。即ち、発信先の電話機では、発信元であるプライベート用の携帯電話機の電話番号が通知されても、その電話番号を表示するに過ぎず、登録名を表示することはなく、発信元の身元をユーザに把握させることができない。その結果、発信先の電話機を使用するユーザが、発信元の身元を把握することができないことが原因で例えば発信元の電話機からの着信に対して応答しない等の問題が想定される。
【０００６】
このような問題は電話の発信操作を行った場合に限らず電子メールの送信操作を行った場合も同様に想定される。即ち、仕事に関係する相手を送信先（宛先）とする電子メールの送信操作を行ったにも拘らず、プライベート用の電子メール端末が電子メールの送信動作を行ってしまうと、プライベート用の電子メールアドレスが送信先の電子メール端末に通知される。この場合、仕事に関係する相手の送信先の電子メール端末では、自機の電話帳データに電子メールアドレスと登録名とが対応付けて登録されていない電子メール端末からの受信となる可能性がある。即ち、送信先の電子メール端末では、送信元であるプライベート用の電子メール端末の電子メールアドレスが通知されても、その電子メールアドレスを表示するに過ぎず、この場合も登録名を表示することはなく、送信元の身元をユーザに把握させることができない。その結果、送信先の電子メール端末を使用するユーザが、送信元の身元を把握することができないことが原因で例えば送信元の電子メール端末から受信した電子メールを閲覧しない等の問題が想定される。
【０００７】
本発明は、上記した事情に鑑みてなされたものであり、その目的は、複数の通信デバイスの各々との間で所定のプロトコルを同時に接続中に発信のトリガが発生した場合に、その発信に係る発信動作を複数の通信デバイスのうち何れかに適切に行わせることで、想定される問題の発生を抑え、利便性を高めることができる近距離無線通信装置を提供することにある。
【課題を解決するための手段】
【０００８】
請求項１に記載した発明によれば、接続手段は、複数の通信デバイスの各々との間で近距離無線通信回線を接続して所定のプロトコルを同時に接続可能である。記憶手段は、識別情報を通信デバイスと対応付けて記憶可能である。制御手段は、発信のトリガが発生すると、接続手段が所定のプロトコルを同時に接続中の複数の通信デバイスの各々に対応付けられて記憶手段に記憶されている複数の識別情報を検索する。制御手段は、その発信に係る発信先情報と一致する識別情報の検索に成功した通信デバイスが存在すると、その発信に係る発信動作を、その発信先情報と一致する識別情報の検索に成功した通信デバイスに行わせる。
【０００９】
このものによれば、発信のトリガが発生すると、所定のプロトコルを同時に接続中の複数の通信デバイスのうちから発信先情報と一致する識別情報の検索に成功した通信デバイスを選択し、発信に係る発信動作を、その発信先情報と一致する識別情報の検索に成功した通信デバイスに行わせる。これにより、発信に係る発信動作を、その発信先情報と一致する識別情報の検索に成功した適切な通信デバイスに行わせることで、想定される問題の発生を抑えることができる。即ち、発信先情報と一致する識別情報が記憶手段に記憶されている場合には、その発信先に、検索に成功した通信デバイスの識別情報が記憶されている（登録名と対応付けて登録されている）可能性が高い。そのため、発信に係る発信動作を、その発信先情報と一致する識別情報の検索に成功した通信デバイスに行わせることで、その通信デバイスの識別情報が発信先情報として発信先に通知されると、発信先では、その通信デバイスの識別情報に対応付けて登録されている登録名が出力されることになる。このように発信先情報と一致する識別情報の検索に成功した適切な通信デバイスに行わせることで、発信元の身元を発信先の通信デバイスに出力させることができ、利便性を高めることができる。
【００１０】
即ち、発信先情報が電話番号であれば、複数の電話機のうちから発信先の電話機の電話番号が記憶されている何れかを選択し、その発信に係る発信動作を、その選択した電話機に行わせる。発信先の電話機では、発信元の電話機の電話番号が登録名と対応付けて登録されていれば、その発信元の電話機から通知された電話番号と対応付けて登録されている登録名が出力される（例えば表示される）。その結果、発信先の電話機を使用するユーザが発信元の身元を把握することができ、例えば発信元の電話機からの着信に対して応答するか否かを判断することができる。
【００１１】
又、発信先情報が電子メールアドレスであれば、複数の電子メール端末のうちから送信先の電子メール端末の電子メールアドレスが記憶されている何れかを選択し、その送信に係る送信動作を、その選択した電子メール端末に行わせる。送信先の電子メール端末では、送信元の電子メール端末の電子メールアドレスが登録名と対応付けて登録されていれば、その送信元の電子メール端末から通知された電子メールアドレスと対応付けて登録されている登録名が出力される（例えば表示される）。その結果、送信先の電子メール端末を使用するユーザが送信元の身元を把握することができ、例えば送信元の電子メール端末から受信した電子メールを閲覧するか否かを判断することができる。
【図面の簡単な説明】
【００１２】
【図１】本発明の一実施形態を示す機能ブロック図
【図２】記憶部の記憶領域を示す図
【図３】ハンズフリー装置と通信デバイスとが両者の間でプロファイルを接続する態様を示す図
【図４】フローチャート（その１）
【図５】フローチャート（その２）
【図６】フローチャート（その３）
【図７】フローチャート（その４）
【図８】シーケンス図（その１）
【図９】シーケンス図（その２）
【図１０】ハンズフリー装置が電話発信要求を送信する態様を示す図
【図１１】ハンズフリー装置が電子メール送信要求を送信する態様を示す図
【発明を実施するための形態】
【００１３】
以下、本発明を、車両用のハンズフリー装置に適用した一実施形態について、図面を参照して説明する。ハンズフリー装置１は、制御部２（制御手段に相当）と、Ｂｌｕｅｔｏｏｔｈ（登録商標）（以下、ＢＴと称する）接続部３（接続手段、送信手段、受信手段に相当）と、通話音声処理部４と、記憶部５（記憶手段に相当）と、表示制御部６と、操作検出部７と、車両ＬＡＮインタフェース（ＩＦ）部８とを備えて構成されている。
【００１４】
制御部２は、周知のマイクロコンピュータからなるＣＰＵ、ＲＡＭ、ＲＯＭ及びＩ／Ｏバス等を有し、ハンズフリー装置１の通信動作やデータ管理動作等の動作全般を制御する。ＢＴ接続部３は、ＢＴ対応の（ＢＴ接続機能を有する）通信機器である通信デバイス１８（例えば携帯電話機や電子メール端末等）が車室内に持込まれている場合に、その通信デバイス１８との間でＢＴ回線を接続可能である。ＢＴ接続部３は、ＢＴ回線を接続している状態でＢＴの通信規格により定義されている各種のプロファイル（所定のプロトコル）を接続可能である。ＢＴ接続部３は、例えばＰＢＡＰ（Phone Book Access Profile）、ＯＰＰ（Object Push Profile）、ＨＦＰ（Hands Free Profile）、ＭＡＰ（Message Access Profile）、Ａ２ＤＰ（Advanced Audio Distribution Profile）、ＡＶＲＣＰ（Audio/Video Remote Control Profile）、ＳＰＰ（Serial Port Profile）、ＤＵＮ（Dial-up Networking Profile）、ＰＡＮ（Personal Area Network Profile）等を接続可能である。
【００１５】
ＰＢＡＰ及びＯＰＰは電話帳データの転送を規定するプロファイルである。ＨＦＰはハンズフリー通話を規定するプロファイル（第１のプロトコル）である。ＭＡＰは電子メールの転送を規定するプロファイル（第２のプロトコル）である。Ａ２ＤＰは音声データの転送を規定するプロファイルである。ＡＶＲＣＰは音声データの制御コマンドの転送を規定するプロファイルである。ＳＰＰは仮想シリアルポート化したデータ通信を規定するプロファイルである。ＤＵＮはインターネットへのダイヤルアップ接続を規定するプロファイルである。ＰＡＮは小規模ネットワークを実現するためのプロファイルである。
【００１６】
通話音声処理部４には、車室内において例えばハンドルの近傍等のユーザが発した音声を集音し易い部位に配置されているマイクロホン９が接続されていると共に、ハンズフリー装置１の外部に配置されているオーディオアンプ１０が接続されている。オーディオアンプ１０には２個のスピーカ１１，１２が接続されている。
【００１７】
記憶部５は、ＢＴ接続部３がＢＴ回線の接続対象とする通信デバイス１８を識別するデバイス情報（電話番号等）を記憶可能である。又、記憶部５は、図２に示すように、ＢＴ接続部３がＢＴ回線の接続対象とする通信デバイス１８毎に、電話帳データ、発信履歴データ、着信履歴データ、不在着信履歴データ、電子メール送信履歴データ（送信ボックス）、電子メール受信履歴データ（受信ボックス）を記憶可能なデータ記憶領域を有する。図２では、通信デバイスＡのデータ記憶領域と通信デバイスＢのデータ記憶領域との２台の通信デバイス１８のデータ記憶領域を例示しているが、３台以上の通信デバイス１８のデータ記憶領域を有する。
【００１８】
電話帳データは、ユーザが登録するデータであり、例えば登録名（氏名や呼称等）と、登録電話番号と、登録電子メールアドレスとを含む単位を１件分のデータとする所定件数（例えば最大で５００件）のデータから構成される。発信履歴データは、通信デバイス１８やハンズフリー装置１が過去に発信した際の電話番号（発信電話番号）と、その発信した日時（発信日時）とを含む単位を１件分のデータとする所定件数（例えば最大で２０件）のデータから構成される。
【００１９】
着信履歴データは、通信デバイス１８やハンズフリー装置１が過去に着信した際の電話番号（着信電話番号）と、その着信した日時（着信日時）とを含む単位を１件分のデータとする所定件数（例えば最大で２０件）のデータから構成される。不在着信履歴データは、通信デバイス１８やハンズフリー装置１が過去に不在着信した際の電話番号（不在着信電話番号）と、その不在着信した日時（不在着信日時）とを含む単位を１件分のデータとする所定件数（例えば最大で２０件）のデータから構成される。これら登録電話番号、発信電話番号、着信電話番号、不在着信電話番号が、ユーザが電話の発信操作を行った場合に検索の対象となる識別情報である。
【００２０】
電子メール送信履歴データは、通信デバイス１８やハンズフリー装置１が過去に電子メールを送信した際の電子メールアドレス（送信電子メールアドレス）と、その電子メールを送信した日時（送信日時）とを含む単位を１件分のデータとする所定件数（例えば最大で１０００件）のデータから構成される。電子メール受信履歴データは、通信デバイス１８やハンズフリー装置１が過去に電子メールを受信した際の電子メールアドレス（受信電子メールアドレス）と、その電子メールを受信した日時（受信日時）とを含む単位を１件分のデータとする所定件数（例えば最大で１０００件）のデータから構成される。これら登録電子メールアドレス、送信電子メールアドレス、受信電子メールアドレスが、ユーザが電子メールの送信操作を行った場合に検索の対象となる識別情報である。
【００２１】
又、記憶部５は、ＢＴ接続部３が通信デバイス１８との間でＢＴ回線を接続した履歴を接続履歴データとして記憶可能である。接続履歴データは、ＢＴ接続部３がＢＴ回線を接続した通信デバイス１８のデバイス情報と、そのＢＴ回線を接続した日時（接続日時）とを含む単位を１件分のデータとする所定件数（例えば最大で１００件）のデータから構成される。
【００２２】
ディスプレイ装置１３は、メニュー画面、発信画面、着信画面等の各種の表示画面を表示する表示部１４と、表示画面上にタッチスイッチ等を形成するタッチ操作入力部１５とを備えて構成されている。表示制御部６は、制御部２から表示指令信号を入力すると、その入力した表示指令信号に基づいて表示部１４の表示動作を制御する。操作検出部７は、ユーザが表示画面上に形成されるタッチスイッチを操作したことに応じてタッチ操作入力部１５から操作検出信号を入力すると、その入力した操作検出信号を制御部２に出力し、制御部２は、操作検出部７から入力した操作検出信号を解析する。
【００２３】
車両ＬＡＮＩＦ部８は、車両に搭載されているナビゲーションシステム１６と車両ＬＡＮ１７を介して接続されている。ナビゲーションシステム１６は、周知のナビゲーション機能を有しており、車両位置を特定する機能、地図データを読出す機能、車両位置を地図データ上にマップマッチングする機能、目的地を設定する機能、車両位置から目的地までの経路を探索する機能、探索した経路にしたがって車両走行を案内する機能、車両位置や経路を描画する機能等を有している。
【００２４】
制御部２は、ＡＣＣ（アクセサリ）スイッチのオンオフに連動してハンズフリー装置１の動作状態を通常動作状態と低消費電力動作状態との間で切換える。即ち、制御部２は、ＡＣＣスイッチがオフでは、車載バッテリ（図示せず）から通常動作電流よりも電流値が低い電流をハンズフリー装置１に取込むことで、ハンズフリー装置１を低消費電力動作状態で動作させ、ＡＣＣスイッチのオフからオンへの切換を監視している。制御部２は、ＡＣＣスイッチがオフからオンに切換わると、車載バッテリから通常動作電流をハンズフリー装置１に取込むことで、ハンズフリー装置１を通常動作状態で動作させる。
【００２５】
通信デバイス１８は、ハンズフリー装置１との間でＢＴ回線を接続してＢＴ通信を行う機能、通信網１９との間で広域電話回線を接続して電話通信及び電子メール通信を行う機能、ユーザの操作を受付ける機能、各種の表示画面を表示する機能、ユーザが発した音声をマイクロホンにより入力する機能、音声通話相手の電話機から通信網１９を介して受信した音声をスピーカから出力する機能等を備えて構成されている。又、通信デバイス１８は、上記したハンズフリー装置１と同様に、電話帳データ、発信履歴データ、着信履歴データ、不在着信履歴データ、電子メール送信履歴データ、電子メール受信履歴データを記憶可能である。
【００２６】
上記した構成では、制御部２は、ＢＴ接続部３が通信デバイス１８との間でＢＴ回線を接続して所定のプロファイルを接続することで、記憶部５に記憶されている通信デバイス１８毎の電話帳データ、発信履歴データ、着信履歴データ、不在着信履歴データ、電子メール送信履歴データ、電子メール受信履歴データと、そのＢＴ回線を接続中の通信デバイス１８に記憶されている電話帳データ、発信履歴データ、着信履歴データ、不在着信履歴データ、電子メール送信履歴データ、電子メール受信履歴データとを同期させる（データの内容を揃える）。
【００２７】
通信デバイス１８は、電話通信の機能として、ハンドセット通話モードとハンズフリー通話モードとを選択的に切換える。通信デバイス１８は、ハンズフリー装置１との間でＨＦＰを接続しておらず、ハンドセット通話モードを設定している場合であれば、自機のマイクロホン及びスピーカを有効とする（音声経路を接続する）。この場合、通信デバイス１８は、音声通話相手の電話機から通信網１９を介して受信した音声をスピーカから出力すると共に、ユーザが発してマイクロホンにより入力した音声を通信網１９に送信する。一方、通信デバイス１８は、ハンズフリー装置１との間でＨＦＰを接続しており、ハンズフリー通話モードを設定している場合であれば、自機のマイクロホン及びスピーカを無効し（音声経路を切断し）、音声をハンズフリー装置１との間で転送する。この場合、通信デバイス１８は、音声通話相手の電話機から通信網１９を介して受信した音声をＢＴ回線を介してハンズフリー装置１に送信することで、その音声をハンズフリー装置１のスピーカ１１，１２から出力させると共に、ユーザが発してハンズフリー装置１のマイクロホン９に入力された音声を当該ハンズフリー装置１からＢＴ回線を介して受信することで、その音声を通信網１９に送信する。
【００２８】
上記した構成において、ＢＴ接続部３は、複数の通信デバイス１８の各々との間でＢＴ回線を同時に接続し、所定のプロファイルを同時に接続可能（マルチプロファイル接続可能）である。即ち、ハンズフリー装置１は、ＡＣＣスイッチがオフからオンに切換わり、通常動作状態になると、記憶部５に記憶されているデバイス情報にしたがってＢＴ接続部３との間でＢＴ回線を接続可能な通信デバイス１８を検索する。そして、ハンズフリー装置１は、車両に持ち込まれた通信デバイス１８のデバイス情報が予め記憶部５にデバイス情報として記憶されていれば、その通信デバイス１８の検索に成功することになり、車両に持ち込まれた通信デバイス１８のデバイス情報が予め記憶部５にデバイス情報として記憶されていなければ、その通信デバイス１８の検索に失敗することになる。
【００２９】
ハンズフリー装置１は、何れかの通信デバイス１８の検索に成功すると、その通信デバイス１８とＢＴ接続部３の間でＢＴ回線を接続し、ＨＦＰを接続し、ＰＢＡＰを接続し、ＭＡＰを接続する。ハンズフリー装置１は、ＰＢＡＰを接続すると、電話帳データ等の各種データの転送、即ち、ＰＢＡＰを接続中の通信デバイス１８からの各種データの取込みを開始し、各種データの転送を終了すると、接続しているＰＢＡＰを切断する。即ち、ハンズフリー装置１は、図３に示すように、通信デバイス１８毎に、ＨＦＰの接続を維持することで、通信網１９への電話発信及び通信網１９からの電話着信を待機する（待受ける）と共に、ＭＡＰの接続を維持することで、通信網１９への電子メール送信及び通信網１９からの電子メール受信を待機する。
【００３０】
次に、上記した構成の作用について、図４から図１１を参照して説明する。制御部２は、本発明に関連して、図４から図７にフローチャートにより示す処理を行う。ここでは、
（１）ユーザがハンズフリー装置１にて電話の発信操作を行った場合
（２）ユーザがハンズフリー装置１にて電子メールの送信操作を行った場合
を説明する。尚、ここでは、ハンズフリー装置１が１台以上の通信デバイス１８との間でＨＦＰ及びＭＡＰを同時に接続中であることを前提とする。
【００３１】
（１）ユーザがハンズフリー装置１にて電話の発信操作を行った場合
ハンズフリー装置１において、制御部２は、ユーザが電話の発信操作（例えば電話帳データからの電話番号の選択操作、テンキーによる電話番号の入力操作等）を行った（発信のトリガが発生した）と判定すると（ステップＳ１：ＹＥＳ）、その発信に係る発信先電話番号（発信先情報）を特定する（ステップＳ２）。次いで、制御部２は、その時点でＨＦＰを接続中の通信デバイス１８が１台であるか否かを判定する（ステップＳ３）。
【００３２】
制御部２は、その時点でＨＦＰを接続中の通信デバイス１８が１台であると判定すると（ステップＳ３：ＹＥＳ）、発信先電話番号を特定可能な電話発信要求をＢＴ接続部３から当該ＨＦＰを接続中の通信デバイス１８に送信させ、その通信デバイス１８に発信動作を行わせ（ステップＳ４）、発信処理中に移行する。
【００３３】
一方、制御部２は、その時点でＨＦＰを接続中の通信デバイス１８が１台でない（２台以上である）と判定すると（ステップＳ３：ＮＯ）、記憶部５の電話帳データを検索し（ステップＳ５）、電話帳データに発信先電話番号と一致する電話番号（登録電話番号）が存在するか否かを判定する（ステップＳ６）。制御部２は、電話帳データに発信先電話番号と一致する電話番号が存在する（検索に成功した）と判定すると（ステップＳ６：ＹＥＳ）、その発信先電話番号と一致する電話番号が登録されている電話帳データの通信デバイス１８が１台であるか否かを判定する（ステップＳ７）。
【００３４】
制御部２は、発信先電話番号と一致する電話番号が登録されている電話帳データの通信デバイス１８が１台であると判定すると（ステップＳ７：ＹＥＳ）、電話発信要求をＢＴ接続部３から当該通信デバイス１８に送信させ、その通信デバイス１８に発信動作を行わせ（ステップＳ８）、発信処理中に移行する。又、制御部２は、発信先電話番号と一致する電話番号が登録されている電話帳データの通信デバイス１８が１台でないと判定すると（ステップＳ７：ＮＯ）、記憶部５の接続履歴データを検索し、その複数の通信デバイス１８のうちＢＴ接続部３との間でＢＴ回線を接続した最後が最新の通信デバイス１８を特定する（ステップＳ９）。そして、制御部２は、電話発信要求をＢＴ接続部３から当該ＢＴ回線を接続した最後が最新の通信デバイス１８に送信させ、その通信デバイス１８に発信動作を行わせ（ステップＳ１０）、発信処理中に移行する。
【００３５】
一方、制御部２は、記憶部５の電話帳データを検索した結果、電話帳データに発信先電話番号と一致する電話番号が存在しない（検索に失敗した）と判定すると（ステップＳ６：ＮＯ）、記憶部５の発信履歴データを検索する対象として同様の処理を行う。即ち、制御部２は、記憶部５の発信履歴データを検索し（ステップＳ１１）、発信履歴データに発信先電話番号と一致する電話番号（発信電話番号）が存在するか否かを判定する（ステップＳ１２）。制御部２は、発信履歴データに発信先電話番号と一致する電話番号が存在すると判定すると（ステップ１２：ＹＥＳ）、その発信先電話番号と一致する電話番号が登録されている発信履歴データの通信デバイス１８が１台であるか否かを判定する（ステップＳ１３）。
【００３６】
制御部２は、発信先電話番号と一致する電話番号が登録されている発信履歴データの通信デバイス１８が１台であると判定すると（ステップＳ１３：ＹＥＳ）、電話発信要求をＢＴ接続部３から当該通信デバイス１８に送信させ、その通信デバイス１８に発信動作を行わせ（ステップＳ１４）、発信処理中に移行する。又、制御部２は、発信先電話番号と一致する電話番号が登録されている発信履歴データの通信デバイス１８が１台でないと判定すると（ステップＳ１３：ＮＯ）、記憶部５の接続履歴データを検索し、その複数の通信デバイス１８のうちＢＴ接続部３との間でＢＴ回線を接続した最後が最新の通信デバイス１８を特定する（ステップＳ１５）。そして、制御部２は、電話発信要求をＢＴ接続部３から当該ＢＴ回線を接続した最後が最新の通信デバイス１８に送信させ、その通信デバイス１８に発信動作を行わせ（ステップＳ１６）、発信処理中に移行する。
【００３７】
一方、制御部２は、記憶部５の発信履歴データを検索した結果、発信履歴データに発信先電話番号と一致する電話番号が存在しないと判定すると（ステップＳ１２：ＮＯ）、記憶部５の着信履歴データを検索する対象として同様の処理を行う。即ち、制御部２は、記憶部５の着信履歴データを検索し（ステップＳ１７）、着信履歴データに発信先電話番号と一致する電話番号（着信電話番号）が存在するか否かを判定する（ステップＳ１８）。制御部２は、着信履歴データに発信先電話番号と一致する電話番号が存在すると判定すると（ステップＳ１８：ＹＥＳ）、その発信先電話番号と一致する電話番号が登録されている着信履歴データの通信デバイス１８が１台であるか否かを判定する（ステップＳ１９）。
【００３８】
制御部２は、発信先電話番号と一致する電話番号が登録されている着信履歴データの通信デバイス１８が１台であると判定すると（ステップＳ１９：ＹＥＳ）、電話発信要求をＢＴ接続部３から当該通信デバイス１８に送信させ、その通信デバイス１８に発信動作を行わせ（ステップＳ２０）、発信処理中に移行する。又、制御部２は、発信先電話番号と一致する電話番号が登録されている着信履歴データの通信デバイス１８が１台でないと判定すると（ステップＳ１９：ＮＯ）、記憶部５の接続履歴データを検索し、その複数の通信デバイス１８のうちＢＴ接続部３との間でＢＴ回線を接続した最後が最新の通信デバイス１８を特定する（ステップＳ２１）。そして、制御部２は、電話発信要求をＢＴ接続部３から当該ＢＴ回線を接続した最後が最新の通信デバイス１８に送信させ、その通信デバイス１８に発信動作を行わせ（ステップＳ２２）、発信処理中に移行する。
【００３９】
一方、制御部２は、記憶部５の着信履歴データを検索した結果、着信履歴データに発信先電話番号と一致する電話番号が存在しないと判定すると（ステップＳ１８：ＮＯ）、記憶部５の不在着信履歴データを検索する対象として同様の処理を行う。即ち、制御部２は、記憶部５の不在着信履歴データを検索し（ステップＳ２３）、不在着信履歴データに発信先電話番号と一致する電話番号（不在着信電話番号）が存在するか否かを判定する（ステップＳ２４）。制御部２は、不在着信履歴データに発信先電話番号と一致する電話番号が存在すると判定すると（ステップＳ２４：ＹＥＳ）、その発信先電話番号と一致する電話番号が登録されている不在着信履歴データの通信デバイス１８が１台であるか否かを判定する（ステップＳ２５）。
【００４０】
制御部２は、発信先電話番号と一致する電話番号が登録されている不在着信履歴データの通信デバイス１８が１台であると判定すると（ステップＳ２５：ＹＥＳ）、電話発信要求をＢＴ接続部３から当該通信デバイス１８に送信させ、その通信デバイス１８に発信動作を行わせ（ステップＳ２６）、発信処理中に移行する。又、制御部２は、発信先電話番号と一致する電話番号が登録されている不在着信履歴データの通信デバイス１８が１台でないと判定すると（ステップＳ２５：ＮＯ）、記憶部５の接続履歴データを検索し、その複数の通信デバイス１８のうちＢＴ接続部３との間でＢＴ回線を接続した最後が最新の通信デバイス１８を特定する（ステップＳ２７）。そして、制御部２は、電話発信要求をＢＴ接続部３から当該ＢＴ回線を接続した最後が最新の通信デバイス１８に送信させ、その通信デバイス１８に発信動作を行わせ（ステップＳ２８）、発信処理中に移行する。
【００４１】
一方、制御部２は、記憶部５の不在着信履歴データを検索した結果、不在着信履歴データに発信先電話番号と一致する電話番号が存在しないと判定すると（ステップＳ２４：ＮＯ）、ＢＴ接続部３とＨＦＰを接続中の通信デバイス１８との間でＰＢＡＰを接続させ、図８及び図９に示すように、発信先電話番号を特定可能な電話帳データ検索要求をＢＴ接続部３から通信デバイス１８にＰＢＡＰにより送信させる（ステップＳ２９）。
【００４２】
通信デバイス１８は、このようにしてハンズフリー装置１から送信された電話帳データ検索要求を受信すると、その電話帳データ検索要求から発信先電話番号を特定し、電話帳データを検索し、電話帳データに発信先電話番号と一致する電話番号が存在するか否かを判定する。通信デバイス１８は、電話帳データを検索した結果、電話帳データに発信先電話番号と一致する電話番号が存在すると判定すると、検索に成功した旨を示す電話帳データ検索応答をハンズフリー装置１にＰＢＡＰにより送信し、一方、電話帳データに発信先電話番号と一致する電話番号が存在しないと判定すると、検索に失敗した旨を示す電話帳データ検索応答をハンズフリー装置１にＰＢＡＰにより送信する。
【００４３】
制御部２は、このようにして通信デバイス１８から送信された電話帳データ検索応答をＢＴ接続部３により受信すると（ステップＳ３０）、その接続させているＰＢＡＰを切断させ、ＨＦＰを接続中の全ての通信デバイス１８に対して電話帳データ検索要求を送信させたか否かを判定する（ステップＳ３１）。制御部２は、ＨＦＰを接続中の全ての通信デバイス１８に対して電話帳データ検索要求を送信させていないと判定すると（ステップＳ３１：ＮＯ）、ステップＳ２９に戻り、電話帳データ検索要求を別の（電話帳データ検索要求を未送信の）通信デバイス１８に送信させる。又、制御部２は、ＨＦＰを接続中の全ての通信デバイス１８に対して電話帳データ検索要求を送信させたと判定すると（ステップＳ３１：ＹＥＳ）、電話帳データの検索に成功した通信デバイス１８が存在するか否かを判定する（ステップＳ３２）。制御部２は、検索に成功した通信デバイス１８が存在すると判定すると（ステップＳ３２：ＹＥＳ）、その検索に成功した通信デバイス１８が１台であるか否かを判定する（ステップＳ３３）。
【００４４】
制御部２は、図８に示すように、検索に成功した通信デバイス１８が１台であると判定すると（ステップＳ３３：ＹＥＳ）、電話発信要求をＢＴ接続部３から当該通信デバイス１８に送信させ、その通信デバイス１８（図８では通信デバイスＡ）に発信動作を行わせ（ステップＳ３４）、発信処理中に移行する。一方、制御部２は、図９に示すように、検索に成功した通信デバイス１８が１台でないと判定すると（ステップＳ３３：ＮＯ）、記憶部５の接続履歴データを検索し、その複数の通信デバイス１８のうちＢＴ接続部３との間でＢＴ回線を接続した最後が最新の通信デバイス１８を特定する（ステップＳ３５）。そして、制御部２は、電話発信要求をＢＴ接続部３から当該ＢＴ回線を接続した最後が最新の通信デバイス１８に送信させ、その通信デバイス１８（図８では通信デバイスＢ）に発信動作を行わせ（ステップＳ３６）、発信処理中に移行する。
【００４５】
一方、制御部２は、電話帳データ検索要求を通信デバイス１８に送信させた結果、電話帳データの検索に成功した通信デバイス１８が存在しない判定すると（ステップＳ３２：ＮＯ）、通信デバイス１８の発信履歴データを検索する対象として同様の処理を行う。即ち、制御部２は、ＢＴ接続部３とＨＦＰを接続中の通信デバイス１８との間でＰＢＡＰを接続させ、発信先電話番号を特定可能な発信履歴データ検索要求をＢＴ接続部３から通信デバイス１８にＰＢＡＰにより送信させる（ステップＳ３７）。通信デバイス１８は、このようにしてハンズフリー装置１から送信された発信履歴データ検索要求を受信すると、発信履歴データを検索し、検索に成功した旨及び失敗した旨の何れかを示す発信履歴データ検索応答をハンズフリー装置１にＰＢＡＰにより送信する。
【００４６】
制御部２は、通信デバイス１８から送信された発信履歴データ検索応答をＢＴ接続部３により受信すると（ステップＳ３８）、その接続させているＰＢＡＰを切断させ、ＨＦＰを接続中の全ての通信デバイス１８に対して発信履歴データ検索要求を送信させたか否かを判定する（ステップＳ３９）。制御部２は、ＨＦＰを接続中の全ての通信デバイス１８に対して発信履歴データ検索要求を送信させていないと判定すると（ステップＳ３９：ＮＯ）、ステップＳ３７に戻り、発信履歴データ検索要求を別の（発信履歴データ検索要求を未送信の）通信デバイス１８に送信させる。又、制御部２は、ＨＦＰを接続中の全ての通信デバイス１８に対して発信履歴データ検索要求を送信させたと判定すると（ステップＳ３９：ＹＥＳ）、発信履歴データの検索に成功した通信デバイス１８が存在するか否かを判定する（ステップＳ４０）。制御部２は、検索に成功した通信デバイス１８が存在すると判定すると（ステップＳ４０：ＹＥＳ）、その検索に成功した通信デバイス１８が１台であるか否かを判定する（ステップＳ４１）。
【００４７】
制御部２は、検索に成功した通信デバイス１８が１台であると判定すると（ステップＳ４１：ＹＥＳ）、電話発信要求をＢＴ接続部３から当該通信デバイス１８に送信させ、その通信デバイス１８に発信動作を行わせ（ステップＳ４２）、発信処理中に移行する。又、制御部２は、検索に成功した通信デバイス１８が１台でないと判定すると（ステップＳ４１：ＮＯ）、記憶部５の接続履歴データを検索し、その複数の通信デバイス１８のうちＢＴ接続部３との間でＢＴ回線を接続した最後が最新の通信デバイス１８を特定する（ステップＳ４３）。そして、制御部２は、電話発信要求をＢＴ接続部３から当該ＢＴ回線を接続した最後が最新の通信デバイス１８に送信させ、その通信デバイス１８に発信動作を行わせ（ステップＳ４４）、発信処理中に移行する。
【００４８】
一方、制御部２は、発信履歴データ検索要求を通信デバイス１８に送信させた結果、発信履歴データの検索に成功した通信デバイス１８が存在しない判定すると（ステップＳ４０：ＮＯ）、通信デバイス１８の着信履歴データを検索する対象として同様の処理を行う。即ち、制御部２は、ＢＴ接続部３とＨＦＰを接続中の通信デバイス１８との間でＰＢＡＰを接続させ、発信先電話番号を特定可能な着信履歴データ検索要求をＢＴ接続部３から通信デバイス１８にＰＢＡＰにより送信させる（ステップＳ４５）。通信デバイス１８は、このようにしてハンズフリー装置１から送信された着信履歴データ検索要求を受信すると、着信履歴データを検索し、検索に成功した旨及び失敗した旨の何れかを示す着信履歴データ検索応答をハンズフリー装置１にＰＢＡＰにより送信する。
【００４９】
制御部２は、通信デバイス１８から送信された着信履歴データ検索応答をＢＴ接続部３により受信すると（ステップＳ４６）、その接続させているＰＢＡＰを切断させ、ＨＦＰを接続中の全ての通信デバイス１８に対して着信履歴データ検索要求を送信させたか否かを判定する（ステップＳ４７）。制御部２は、ＨＦＰを接続中の全ての通信デバイス１８に対して着信履歴データ検索要求を送信させていないと判定すると（ステップＳ４７：ＮＯ）、ステップＳ４５に戻り、着信履歴データ検索要求を別の（着信履歴データ検索要求を未送信の）通信デバイス１８に送信させる。又、制御部２は、ＨＦＰを接続中の全ての通信デバイス１８に対して着信履歴データ検索要求を送信させたと判定すると（ステップＳ４７：ＹＥＳ）、着信履歴データの検索に成功した通信デバイス１８が存在するか否かを判定する（ステップＳ４８）。制御部２は、検索に成功した通信デバイス１８が存在すると判定すると（ステップＳ４８：ＹＥＳ）、その検索に成功した通信デバイス１８が１台であるか否かを判定する（ステップＳ４９）。
【００５０】
制御部２は、検索に成功した通信デバイス１８が１台であると判定すると（ステップＳ４９：ＹＥＳ）、電話発信要求をＢＴ接続部３から当該通信デバイス１８に送信させ、その通信デバイス１８に発信動作を行わせ（ステップＳ５０）、発信処理中に移行する。又、制御部２は、検索に成功した通信デバイス１８が１台でないと判定すると（ステップＳ４９：ＮＯ）、記憶部５の接続履歴データを検索し、その複数の通信デバイス１８のうちＢＴ接続部３との間でＢＴ回線を接続した最後が最新の通信デバイス１８を特定する（ステップＳ５１）。そして、制御部２は、電話発信要求をＢＴ接続部３から当該ＢＴ回線を接続した最後が最新の通信デバイス１８に送信させ、その通信デバイス１８に発信動作を行わせ（ステップＳ５２）、発信処理中に移行する。
【００５１】
一方、制御部２は、着信履歴データ検索要求を通信デバイス１８に送信させた結果、着信履歴データの検索に成功した通信デバイス１８が存在しない判定すると（ステップＳ４８：ＮＯ）、通信デバイス１８の不在着信履歴データを検索する対象として同様の処理を行う。即ち、制御部２は、ＢＴ接続部３とＨＦＰを接続中の通信デバイス１８との間でＰＢＡＰを接続させ、発信先電話番号を特定可能な不在着信履歴データ検索要求をＢＴ接続部３から通信デバイス１８にＰＢＡＰにより送信させる（ステップＳ５３）。通信デバイス１８は、このようにしてハンズフリー装置１から送信された不在着信履歴データ検索要求を受信すると、不在着信履歴データを検索し、検索に成功した旨及び失敗した旨の何れかを示す不在着信履歴データ検索応答をハンズフリー装置１にＰＢＡＰにより送信する。
【００５２】
制御部２は、通信デバイス１８から送信された不在着信履歴データ検索応答をＢＴ接続部３により受信すると（ステップＳ５４）、その接続させているＰＢＡＰを切断させ、ＨＦＰを接続中の全ての通信デバイス１８に対して不在着信履歴データ検索要求を送信させたか否かを判定する（ステップＳ５５）。制御部２は、ＨＦＰを接続中の全ての通信デバイス１８に対して不在着信履歴データ検索要求を送信させていないと判定すると（ステップＳ５５：ＮＯ）、ステップＳ５３に戻り、不在着信履歴データ検索要求を別の（不在着信履歴データ検索要求を未送信の）通信デバイス１８に送信させる。又、制御部２は、ＨＦＰを接続中の全ての通信デバイス１８に対して不在着信履歴データ検索要求を送信させたと判定すると（ステップＳ５５：ＹＥＳ）、不在着信履歴データの検索に成功した通信デバイス１８が存在するか否かを判定する（ステップＳ５６）。制御部２は、検索に成功した通信デバイス１８が存在すると判定すると（ステップＳ５６：ＹＥＳ）、その検索に成功した通信デバイス１８が１台であるか否かを判定する（ステップＳ５７）。
【００５３】
制御部２は、検索に成功した通信デバイス１８が１台であると判定すると（ステップＳ５７：ＹＥＳ）、電話発信要求をＢＴ接続部３から当該通信デバイス１８に送信させ、その通信デバイス１８に発信動作を行わせ（ステップＳ５８）、発信処理中に移行する。又、制御部２は、検索に成功した通信デバイス１８が１台でないと判定すると（ステップＳ５７：ＮＯ）、記憶部５の接続履歴データを検索し、その複数の通信デバイス１８のうちＢＴ接続部３との間でＢＴ回線を接続した最後が最新の通信デバイス１８を特定する（ステップＳ５９）。そして、制御部２は、電話発信要求をＢＴ接続部３から当該ＢＴ回線を接続した最後が最新の通信デバイス１８に送信させ、その通信デバイス１８に発信動作を行わせ（ステップＳ６０）、発信処理中に移行する。
【００５４】
一方、制御部２は、不在着信履歴データ検索要求を送信させた結果、着信履歴データの検索に成功した通信デバイス１８が存在しない判定すると（ステップＳ５６：ＮＯ）
この場合も、記憶部５の接続履歴データを検索し、その複数の通信デバイス１８のうちＢＴ接続部３との間でＢＴ回線を接続した最後が最新の通信デバイス１８を特定する（ステップＳ５９）。制御部２は、この場合は、その特定した通信デバイス１８とＢＴ接続部３との間でＢＴ回線を接続していない場合もあり得るので、ＢＴ回線を接続していない場合には、その特定した通信デバイス１８とＢＴ接続部３との間でＢＴ回線を接続させる。そして、制御部２は、ＢＴ回線を接続させた後に、電話発信要求をＢＴ接続部３から当該通信デバイス１８に送信させ、その通信デバイス１８に発信動作を行わせ（ステップＳ６０）、発信処理中に移行する。
【００５５】
以上のように、制御部２は、発信先電話番号を、記憶部５の電話帳データ、記憶部５の発信履歴データ、記憶部５の着信履歴データ、記憶部５の不在着信履歴データ、通信デバイス１８の電話帳データ、通信デバイス１８の発信履歴データ、通信デバイス１８の着信履歴データ、通信デバイス１８の不在着信履歴データの優先順位にしたがって検索し、検索に成功した通信デバイス１８に発信動作を行わせる。即ち、制御部２は、上記したように通信デバイス１８に記憶される電話帳データ、発信履歴データ、着信履歴データ、不在着信履歴データと、ハンズフリー装置１の記憶部５に記憶される通信デバイス１８毎の電話帳データ、発信履歴データ、着信履歴データ、不在着信履歴データとが同期することを利用し、発信先電話番号と一致する電話番号が記憶されている可能性が高い通信デバイス１８を特定し、その特定した通信デバイス１８を優先して発信動作を行わせる。図１０に示すように、ハンズフリー装置１が通信デバイスＡと通信デバイスＢとの双方との間でＨＦＰを接続中にあるときに、記憶部５の通信デバイスＡのデータ記憶領域に記憶されているデータ、又は通信デバイスＡに記憶されているデータを対象として発信先電話番号と一致する電話番号の検索に成功すると、通信デバイスＡに発信動作を行わせる。
【００５６】
（２）ユーザがハンズフリー装置１にて電子メールの送信操作を行った場合
制御部２は、ユーザが電子メールの送信操作を行った（発信のトリガが発生した）場合には、電話帳データ、電子メール送信履歴データ、電子メール受信履歴データを検索の対象とする。即ち、制御部２は、ユーザが電子メールの送信操作（例えば電話帳データからの電子メールアドレスの選択操作等）を行ったと判定すると、その送信に係る送信先電子メールアドレス（宛先、発信先情報）を特定する。次いで、制御部２は、その時点でＭＡＰを接続中の通信デバイス１８が１台であると判定すると、送信先電子メールアドレスを特定可能な電子メール送信要求をＢＴ接続部３から当該ＭＡＰを接続中の通信デバイス１８に送信させ、その通信デバイス１８に送信動作を行わせ、送信処理中に移行する。
【００５７】
一方、制御部２は、その時点でＭＡＰを接続中の通信デバイス１８が１台でない（２台以上である）と判定すると、送信先電子メールアドレスを、記憶部５の電話帳データ、記憶部５の電子メール送信履歴データ、記憶部５の電子メール受信履歴データ、通信デバイス１８の電話帳データ、通信デバイス１８の電子メール送信履歴データ、通信デバイス１８の電子メール受信履歴データの優先順位にしたがって検索し、検索に成功した通信デバイス１８に送信動作を行わせる。即ち、制御部２は、上記したように通信デバイス１８に記憶される電話帳データ、電子メール送信履歴データ、電子メール受信履歴データと、ハンズフリー装置１の記憶部５に記憶される通信デバイス１８毎の電話帳データ、電子メール送信履歴データ、電子メール受信履歴データとが同期することを利用し、送信先電子メールアドレスと一致する電子メールアドレスが記憶されている可能性が高い通信デバイス１８を特定し、その特定した通信デバイス１８を優先して送信動作を行わせる。図１１に示すように、ハンズフリー装置１が通信デバイスＡと通信デバイスＢとの双方との間でＭＡＰを接続中にあるときに、記憶部５の通信デバイスＡのデータ記憶領域に記憶されているデータ、又は通信デバイスＡに記憶されているデータを対象として送信先電子メールアドレスと一致する電子メールアドレスの検索に成功すると、通信デバイスＡに送信動作を行わせる。
【００５８】
以上に説明したように本実施形態によれば、ハンズフリー装置１において、ユーザが電話の発信操作を行うと、ＨＦＰを同時に接続中の複数の通信デバイス１８毎に記憶されている電話帳データ等を検索し、電話の発信動作を、その発信先電話番号と一致する電話番号の検索に成功した通信デバイス１８に行わせるようにした。これにより、発信先の電話機では、発信元の通信デバイス１８の電話番号と対応付けて登録名が登録されていれば、その登録名が表示される。その結果、発信先の通信デバイスを使用するユーザが発信元の身元を把握することができ、例えば発信元の通信デバイス１８からの着信に対して応答するか否かを判断することができる。即ち、発信元のユーザから見れば、自分の身元を発信先のユーザに確実に知らせることで、着信に対して応答されない事態を回避することができる。
【００５９】
又、ユーザが電子メールの送信操作を行うと、ＭＡＰを同時に接続中の複数の通信デバイス１８毎に記憶されている電話帳データ等を検索し、電子メールの送信動作を、その送信先電子メールアドレスと一致する電子メールアドレスの検索に成功した通信デバイス１８に行わせるようにした。これにより、送信先の通信デバイスでは、送信元の通信デバイス１８の電子メールアドレスと対応付けて登録名が登録されていれば、その登録名が表示される。その結果、送信先の通信デバイスを使用するユーザが送信元の身元を把握することができ、例えば送信元の通信デバイス１８から受信した電子メールを閲覧するか否かを判断することができる。即ち、送信元のユーザから見れば、自分の身元を送信先のユーザに確実に知らせることで、送信した電子メールが閲覧されない事態を回避することができる。
【００６０】
この場合、記憶部５に記憶されているデータ及び通信デバイス１８に記憶されているデータのうち記憶部５に記憶されているデータを優先し、発信先電話番号と一致する電話番号を検索したり、送信先電子メールアドレスと一致する電子メールアドレスを検索したりするようにした。これにより、最初にＢＴ接続部３と通信デバイス１８との間でＢＴ回線を接続せずに検索する分、速やかに検索することができる。
【００６１】
又、発信先電話番号と一致する電話番号を検索する場合に、登録電話番号、発信電話番号、着信電話番号、不在着信電話番号の順序を優先順序として検索し、送信先電子メールアドレスと一致する電子メールアドレスを検索する場合に、登録電子メールアドレス、送信電子メールアドレス、受信電子メールアドレスの順序を優先順序として検索するようにした。これにより、何れの場合でも電話帳データを重視して検索することができる。
【００６２】
本発明は、上記した実施形態にのみ限定されるものではなく、以下のように変形又は拡張することができる。
通信デバイスとの間でＨＦＰを接続する機能とＭＡＰを接続する機能との双方を有する構成に限らず、ＨＦＰを接続する機能とＭＡＰを接続する機能との何れかのみを有する構成であっても良い。
ユーザが電話の発信操作を行った場合に、記憶部５や通信デバイス１８に記憶されているデータを対象として発信先電話番号を検索する優先順位は、電話帳データ、発信履歴データ、着信履歴データ、不在着信履歴データの優先順位に限らず、どのような優先順位であっても良い。又、これらのデータのうち一部を検索する対象から除外しても良い。同様に、ユーザが電子メールの送信操作を行った場合に、記憶部５や通信デバイス１８に記憶されているデータを対象として送信先電子メールアドレスを検索する優先順位は、電話帳データ、電子メール送信履歴データ、電子メール受信履歴データの優先順位に限らず、どのような優先順位であっても良い。又、これらのデータのうち一部を検索する対象から除外しても良い。
【符号の説明】
【００６３】
図面中、１はハンズフリー装置（近距離無線通信装置）、２は制御部（制御手段）、３はＢｌｕｅｔｏｏｔｈ接続部（接続手段、送信手段、受信手段）、５は記憶部（記憶手段）、１８は通信デバイスである。
【図１】
2014204267.tif 000003
【図２】
2014204267.tif 000004
【図３】
2014204267.tif 000005
【図４】
2014204267.tif 000006
【図５】
2014204267.tif 000007
【図６】
2014204267.tif 000008
【図７】
2014204267.tif 000009
【図８】
2014204267.tif 000010
【図９】
2014204267.tif 000011
【図１０】
2014204267.tif 000012
【図１１】
2014204267.tif 000013